(57)【要約】【課題】１つのホールドで多様な難易度を実現することでクライミング設備の整備にかかる費用を低減することができるクライミング用ホールドを提供する。【解決手段】ホールド１０は、第１取付面１１と、第１取付面１１に対向する第２取付面１２とを有している。更に、ホールド１０には第１取付面１１から第２取付面１２に至るまで取付孔１３が貫通して形成されており、取付孔１３の中間部分を縮径することで係合部１９が形成されている。係合部１９は、第１取付面１１側から取付ボルト２１が係合可能であり、第２取付面１２側からも取付ボルト２１が係合可能である。【選択図】図１
2018000896.tif 000002
【特許請求の範囲】
【請求項１】
クライミングまたはボルダリングに用いられる登攀壁に取り付けられ、前記クライミングまたは前記ボルダリングを行う利用者がその手または足を掛けるクライミング用ホールドであり、
前記クライミング用ホールドを前記登攀壁に取り付ける際に、前記登攀壁に接触する当接面または３以上の当接部を有する第１取付面と、
前記第１取付面と対向すると共に、前記クライミング用ホールドを前記登攀壁に取り付ける際に、前記登攀壁に接触する当接面または３以上の当接部を有する第２取付面と、
前記第１取付面から第２取付面まで貫通して形成され、前記クライミング用ホールドを前記登攀壁に取り付ける取付治具が取り付けられる取付孔と、を具備し、
前記取付孔は、前記第１取付面から前記取付治具を挿入して係合することができると共に、前記第２取付面側からも前記取付治具を挿入して係合することができることを特徴とするクライミング用ホールド。
【請求項２】
前記取付孔の中間部に形成され、前記第１取付面側および前記第２取付面側から、前記取付治具が係合可能な係合部と、を更に具備することを特徴とする請求項１に記載のクライミング用ホールド。
【請求項３】
前記取付孔は、
前記第１取付面側に形成される当接面または３以上の前記当接部を通過する仮想面に対して垂直または略垂直とされると共に、その中間部分に前記取付治具が係合可能な係合部が形成された第１取付孔と、
前記第２取付面側に形成される当接面または３以上の前記当接部を通過する仮想面に対して垂直または略垂直とされると共に、その中間部分に前記取付治具が係合可能な係合部が形成された第２取付孔と、
を有することを特徴とする請求項１に記載のクライミング用ホールド。
【請求項４】
埋め込まれた板状部材を更に具備し、
前記係合部の少なくとも一部を前記板状部材が構成することを特徴とする請求項２に記載のクライミング用ホールド。
【発明の詳細な説明】
【技術分野】
【０００１】  本発明は、登攀壁に設置されて使用者がその手または足を掛けるクライミング用ホールドに関し、特に、多様な難易度を実現することができるクライミング用ホールドに関する。
【背景技術】
【０００２】  一般的なクライミング施設またはボルダリング施設では、合板等を組み合わせることで所定の平面的大きさと傾斜角を有する登攀壁を形成し、この登攀壁の所定箇所に所定形状のクライミング用ホールドを配置することで、登攀壁にクライミングコースを設定している。【０００３】  このクライミングコースの難易度は、登攀壁の傾斜角と、ルート自体の複雑さと、設置されるクライミング用ホールドの形状で決定される。【０００４】  この中でも特に、クライミング用ホールドに於いては、自然の岸壁からなる登攀壁の形態を模した様々な難易度のものが開発されている。一般に、その表面が滑らかな湾曲形状のクライミング用ホールドは容易に手を掛けることが出来ないので難易度が高く、逆に、歪な異型形状のクライミング用ホールドは容易に手を掛けることが出来るので難易度が低い。【０００５】  また、人工壁に当たる当たり面および取付治具の係合する取付部が加工されているフリークライミング用人工壁のホールドが特許文献１に記載されている。
【先行技術文献】
【特許文献】
【０００６】
【特許文献１】  特開２００４−１２９９７２号公報
【発明の概要】
【発明が解決しようとする課題】
【０００７】  しかしながら、特許文献１に記載されたホールドでは、１つのみの当たり面を有していたため、その回転方向を変更することによって、難易度を若干変更することはできるが、登攀壁に対して原則的に一通りの組み合わせ方しか出来ないので、一つのホールドで多様な難易度を実現することは簡単ではなかった。このことから、様々な難易度のクライミングコースを登攀壁に設定するためには、難易度が異なる多数のホールドを用意する必要があり、このことがクライミング設備の整備にかかる費用を高騰させてしまう一因となることがあった。【０００８】  本発明は、上記問題点を鑑みてなされたものであり、本発明の目的は、１つのホールドで多様な難易度を実現することでクライミング設備の整備にかかる費用を低減することができるクライミング用ホールドを提供することにある。
【課題を解決するための手段】
【０００９】  本発明は、クライミングまたはボルダリングに用いられる登攀壁に取り付けられ、前記クライミングまたは前記ボルダリングを行う利用者がその手または足を掛けるクライミング用ホールドであり、前記クライミング用ホールドを前記登攀壁に取り付ける際に、前記登攀壁に接触する当接面または３以上の当接部を有する第１取付面と、前記第１取付面と対向すると共に、前記クライミング用ホールドを前記登攀壁に取り付ける際に、前記登攀壁に接触する当接面または３以上の当接部を有する第２取付面と、前記第１取付面から第２取付面まで貫通して形成され、前記クライミング用ホールドを前記登攀壁に取り付ける取付治具が取り付けられる取付孔と、を具備し、前記取付孔は、前記第１取付面から前記取付治具を挿入して係合することができると共に、前記第２取付面側からも前記取付治具を挿入して係合することができることを特徴とする。【００１０】  また、本発明のクライミング用ホールドでは、前記取付孔の中間部に形成され、前記第１取付面側および前記第２取付面側から、前記取付治具が係合可能な係合部と、を更に具備することを特徴とする。【００１１】  また、本発明のクライミング用ホールドでは、前記取付孔は、前記第１取付面側に形成される当接面または３以上の前記当接部を通過する仮想面に対して垂直または略垂直とされると共に、その中間部分に前記取付治具が係合可能な係合部が形成された第１取付孔と、前記第２取付面側に形成される当接面または３以上の前記当接部を通過する仮想面に対して垂直または略垂直とされると共に、その中間部分に前記取付治具が係合可能な係合部が形成された第２取付孔と、を有することを特徴とする。【００１２】  また、本発明のクライミング用ホールドでは、埋め込まれた板状部材を更に具備し、前記係合部の少なくとも一部を前記板状部材が構成することを特徴とする。
【発明の効果】
【００１３】  本発明は、クライミングまたはボルダリングに用いられる登攀壁に取り付けられ、前記クライミングまたは前記ボルダリングを行う利用者がその手または足を掛けるクライミング用ホールドであり、前記クライミング用ホールドを前記登攀壁に取り付ける際に、前記登攀壁に接触する当接面または３以上の当接部を有する第１取付面と、前記第１取付面と対向すると共に、前記クライミング用ホールドを前記登攀壁に取り付ける際に、前記登攀壁に接触する当接面または３以上の当接部を有する第２取付面と、前記第１取付面から第２取付面まで貫通して形成され、前記クライミング用ホールドを前記登攀壁に取り付ける取付治具が取り付けられる取付孔と、を具備し、前記取付孔は、前記第１取付面から前記取付治具を挿入して係合することができると共に、前記第２取付面側からも前記取付治具を挿入して係合することができることを特徴とする。従って、第１取付面側を登攀壁に取り付けることができると共に、第２取付面側を登攀壁に取り付けることも可能であるので、使用者が登攀を行う際に手または足を掛ける掛かり部を、第１取付面側および第２取付面の両方に形成することができる。従って、一つのクライミング用ホールドに様々な難易度の多数の掛かり部を形成でき、このようなクライミングホールドを利用することで登攀壁に様々な難易度のルートを形成でき、登攀壁を構成するホールドの種類を減少させることで登攀壁の運用にかかるコストを低減させることができる。【００１４】  また、本発明のクライミング用ホールドでは、前記取付孔の中間部に形成され、前記第１取付面側および前記第２取付面側から、前記取付治具が係合可能な係合部と、を更に具備することを特徴とする。従って、１つの取付孔で、第１取付面側および第２取付面側から、取付治具を取り付けることができるので、形成される取付孔の数を減少させて、クライミング用ホールドの構成を簡素化することができる。【００１５】  また、本発明のクライミング用ホールドでは、前記取付孔は、前記第１取付面側に形成される当接面または３以上の当接部を通過する仮想面に対して垂直または略垂直とされると共に、その中間部分に前記取付治具が係合可能な係合部が形成された第１取付孔と、前記第２取付面側に形成される当接面または３以上の前記当接部を通過する仮想面に対して垂直または略垂直とされると共に、その中間部分に前記取付治具が係合可能な係合部が形成された第２取付孔と、を有することを特徴とする。従って、第１取付面の側を登攀壁に当接させる際には第１取付孔に取付治具を取り付け、第２取付面の側を登攀壁に当接させる際には第２取付孔に取付治具を取り付けることで、第１取付面および第２取付面の両方を登攀壁に当接する面として用いることができる。【００１６】  また、本発明のクライミング用ホールドでは、埋め込まれた板状部材を更に具備し、前記係合部の少なくとも一部を前記板状部材が構成することを特徴とする。従って、一般にホールドの材料よりも機械的特性に優れる板状材料で、係合部を補強することが出来る。
【図面の簡単な説明】
【００１７】
【図１】  本発明の一実施形態に係るクライミング用ホールドを示す図であり、（Ａ）はクライミング用ホールドを示す斜視図であり、（Ｂ）および（Ｃ）はクライミング用ホールドが登攀壁に取り付けられる構造を示す断面である。
【図２】  本発明の別の形態に係るクライミング用ホールドを示す図であり、（Ａ）はクライミング用ホールドを示す斜視図であり、（Ｂ）および（Ｃ）はクライミング用ホールドが登攀壁に取り付けられる構造を示す断面である。
【発明を実施するための形態】
【００１８】  以下に図を参照して本形態のクライミング用ホールド（以下、単にホールド１０と称する）を詳述する。以下の説明では、同一または類似の形状や機能を有する部位は同一の符号を付し、重複する説明を省略する。また以下の説明では、前後左右上下の各方向を用いて説明するが、これらの各方向は図１（Ａ）の斜視図を参照した場合を示す。
【００１９】  図１を参照して、ホールド１０の形状およびそのホールド１０が登攀壁３０に組み付けられる構成を説明する。図１（Ａ）はホールド１０を示す斜視図であり、図１（Ｂ）は第２取付面１２を登攀壁３０に接触させた状態でホールド１０を設置した状態を示す断面図であり、図１（Ｃ）は第１取付面１１を登攀壁３０に接触させた状態でホールド１０を設置した状態を示す断面図である。
【００２０】  図１（Ａ）を参照して、ホールド１０の構成を詳述する。ホールド１０は、クライミングまたはボルダリングに用いられる登攀壁３０（図１（Ｂ）参照）に取り付けられ、クライミングまたはボルダリングを行う利用者がその手または足を掛ける部品である。また、ホールド１０の表面に微細な凹凸形状が形成されることで、自然の岩石に近い質感を実現している。
【００２１】  ホールド１０は、利用者が手又は足を掛けるための、または登攀壁３０への取付に用いられる、様々な部位が形成されている。以下の説明では、利用者が手又は足を掛けるための部位を単に「掛かり部」と称する。
【００２２】  ホールド１０は、第１取付面１１と、第１取付面１１に対向する第２取付面１２とを有しており、図１（Ｂ）を参照すると後方の第２取付面１２が登攀壁３０側に配置され、第１取付面１１が利用者側を向いている。
【００２３】  また、第１取付面１１は掛かり部となると共に、第１取付面１１を登攀壁３０に当接させてホールド１０を固定することもできる。第１取付面１１を登攀壁３０に当接させるために、第１取付面１１には、登攀壁３０に接触する当接面１６または３以上の当接部３１が形成されている。ここでは、第１取付面１１には、図１（Ｂ）に示すように、３つの当接部３１が形成されている。当接部３１は、後述するように仮想面２８に配置されており、この仮想面２８は、第２取付面１２に形成される当接面１６又は仮想面２８に対して平行でも良いし傾斜してもよい。当接部３１は、後述するように、掛かり部として用いられても良いし、登攀壁３０に当接することでホールド１０を固定するための部位として用いられても良い。
【００２４】  第２取付面１２は、前後方向において第１取付面１１に対向する部位であり、ホールド１０を登攀壁３０に取り付ける際に、登攀壁３０に接触する当接面１６または３以上の当接部３１を有する。かかる構成は、上記した第１取付面１１と同様である。
【００２５】  以下の説明では、第１取付面１１に突起する当接部３１が形成され、第２取付面１２に当接面１６が形成された場合を例示する。
【００２６】  取付孔１３は、第１取付面１１から第２取付面１２まで貫通して形成され、ホールド１０を登攀壁３０に取り付ける取付ボルト２１（取付治具）を取り付けるための長孔である。取付孔１３は、後述するように、取付ボルト２１を挿通可能とする内径を有し、その途中部分には、取付ボルト２１と係合するための係合部１９が形成されている。取付孔１３は、後述するように、第１取付面１１から取付ボルト２１を挿入して係合することができると共に、第２取付面１２からも取付ボルト２１を挿入して係合することができる。ここでは、第１取付面１１と第２取付面１２とが略平行であるため、取付孔１３は、第１取付面１１および第２取付面１２の両方に対して垂直または略垂直である。ここで、略垂直とは、後述する取付ボルト２１を介して登坂壁３０に取り付けることを可能とする範囲で垂直に近い角度のことである。
【００２７】  ここで、図１（Ｂ）に示したように、第１取付面１１に当接部３１が形成された場合、取付孔１３は、複数の当接部３１の頂点を通過する仮想面２８に対して垂直または略垂直となる。係る事項は、第２取付面１２に当接部３１が形成された場合も同様である。一方、第１取付面１１が平滑に形成されて登攀壁３０に接触する当接面が形成される場合、取付孔１３は、その当接面に対して垂直または略垂直とされる。
【００２８】  図１（Ａ）に示すホールド１０は、正面視において略四角形状を呈しており、第１取付面１１と第２取付面１２とは、中継面部１８で繋がっている。具体的には、第１取付面１１の周囲には、第１取付面１１と中継面部１８との境界として、４つの掛かり部２６Ａ、２６Ｂ、２６Ｃ、２６Ｄが形成されている。また、第２取付面１２の周囲には、第２取付面１２と中継面部１８との境界として、４つの掛かり部２７Ａ、２７Ｂ、２７Ｃ、２７Ｄが形成されている。また、中継面部１８同士の境界にも、掛かり部が形成される。これらの掛かり部２６Ａ等、２７Ａ等は、利用者が登攀時にて手または足を掛ける部位として機能する。掛かり部２６Ａ等、２７Ａ等の具体的形状としては、例えば、ジャグ、ピギーバッグ、ピンチ、インカット、クリンプ、スローパ、ポケット、アーチ、クレータ、ウェーブ等を採用することが出来る。
【００２９】  図１（Ｂ）を参照して、上記した構成のホールド１０が登攀壁３０に設置される構造を説明する。この図では、ホールド１０およびその取付に用いられる各部品を前後方向に離間して示している。上記したように、ホールド１０には第１取付面１１から第２取付面１２に至るまで取付孔１３が貫通して形成されおり、取付孔１３の中間部分を縮径することで係合部１９が形成されている。係合部１９は、第１取付面１１側からも後述する取付ボルト２１が係合可能であり、第２取付面１２側からも取付ボルト２１が係合可能である。
【００３０】  ここでは、ホールド１０の平坦面である第２取付面１２が、登攀壁３０に接触しており、ホールド１０の取付孔１３と、登攀壁３０の挿通孔２５とか略一致するように、ホールド１０は登攀壁３０に取り付けられている。そして、ホールド１０の取付孔１３および登攀壁３０の挿通孔２５を、取付ボルト２１のネジ部２２が挿通している。取付ボルト２１のネジ部２２は、登攀壁３０の後方に配置された取付プレート２４に螺合される。取付ボルト２１の前方端部を拡径させた頭部２３は、取付孔１３の係合部１９に係合し、これによりホールド１０は登攀壁３０に対して強固に締結固定される。ここで、取付ボルト２１は、登攀壁３０の面に対して垂直または略垂直となるように、登攀壁３０の挿通孔２５に挿通される。
【００３１】  また、ホールド１０には、係合部１９を補強するための板状部材３２が埋め込まれても良い。板状部材３２は、例えば、孔部が形成された金属板からなり、その孔部は取付孔１３と一致するように配置されており、板状部材３２は係合部１９に部分的に配置されている。このようにすることで、係合部１９を板状部材３２で補強し、取付ボルト２１の大きな締結力で係合部１９が破損してしまうことを防止できる。ここで、取付孔１３に露出する板状部材３２のみにより係合部１９が形成されても良い。
【００３２】  図１（Ｃ）を参照して、ここでは、ホールド１０の第１取付面１１が登攀壁３０の表面に接触するように、ホールド１０が登攀壁３０に取り付けられている。上記したように、第１取付面１１には、突起する３以上の当接部３１が形成されており、これらの当接部３１が登攀壁３０に接触する。ここでも、取付ボルト２１のネジ部２２が、ホールド１０の取付孔１３および登攀壁３０の挿通孔２５を貫通し、取付プレート２４に螺合している。また、取付ボルト２１の頭部２３が、ホールド１０の係合部１９に係合することで、ホールド１０は登攀壁３０に固定されている。
【００３３】  上記のように、本形態のホールド１０は、第１取付面１１側を登攀壁３０に取り付けることができると共に、第２取付面１２側を登攀壁３０に取り付けることも可能である。従って、上記した掛かり部を、第１取付面１１側および第２取付面１２側の両方に形成することができる。従って、１つのホールド１０に様々な難易度の多数の掛かり部を形成でき、このようなホールド１０を利用することで登攀壁３０に様々な難易度のルートを形成でき、登攀壁３０を構成するホールドの種類を減少させ、登攀壁３０の運用にかかるコストを低減させることができる。たとえば、難易度の高い掛かり部を第１取付面１１に形成し、難易度の低い掛かり部を第２取付面１２に形成することが出来る。
【００３４】  図２を参照して次に、本形態のホールド１０の他の形態を説明する。ここで説明するホールド１０の構成は図１に示したものと基本的には同様であり、上記した第１取付面１１および第２取付面１２の角度および取付孔１３の個数が異なる。
【００３５】  図２（Ａ）はホールド１０を示す斜視図であり、図２（Ｂ）は第２取付面１２を登攀壁３０に接触させてホールド１０を設置した状態を示す断面図であり、図２（Ｃ）は第１取付面１１を登攀壁３０に接触させてホールド１０を設置した状態を示す断面図である。
【００３６】  図２（Ａ）を参照して、ここでは、第１取付面１１と第２取付面１２とは互いに平行ではなく、第１取付面１１は中継面部１８に対して垂直である一方、第２取付面１２は中継面部１８に対して傾斜している。また、第１取付面１１に後述する当接部３１が形成され、第２取付面１２は平滑面とされている。更に、ここでは、２つの取付孔１３Ａ、１３Ｂが形成されている。取付孔１３Ａは第１取付面１１に対して垂直または略垂直であり、取付孔１３Ｂは第２取付面１２に対して垂直または略垂直である。取付孔１３Ａ、１３Ｂは、第１取付孔および第２取付孔に対応している。
【００３７】  図２（Ｂ）を参照して、ここでは、平滑面である第２取付面１２を登攀壁３０の表面に当接させ、ホールド１０を登攀壁３０に固定している。この場合は、第２取付面１２に対して垂直または略垂直に形成された取付孔１３Ｂを用いて、ホールド１０を登攀壁３０に取り付ける。具体的には、ホールド１０の取付孔１３Ｂと登攀壁３０の挿通孔２５とを位置合わせし、取付ボルト２１のネジ部２２を取付孔１３Ｂおよび挿通孔２５に挿通させ、ネジ部２２を取付プレート２４に螺合する。このようにすることで、取付孔１３Ｂを縮径させることで形成した係合部１９に、取付ボルト２１の頭部２３が係合し、ホールド１０は登攀壁３０に強固に取り付けられる。
【００３８】  図２（Ｃ）を参照して、ここでは、第１取付面１１に形成される当接部３１を登攀壁３０に当接させることで、ホールド１０を登攀壁３０に取り付けている。詳しくは、当接部３１の頂部を通過する仮想面２８に対して垂直または略垂直に形成された取付孔１３Ａに、取付ボルト２１のネジ部２２を挿通しており、そのネジ部２２の先端部は取付プレート２４に螺合している。取付孔１３Ａの中間部分を縮径することで係合部１９が形成されており、この係合部１９に取付ボルト２１の頭部２３が係合することで、ホールド１０は登攀壁３０に強固に取り付けられる。
【００３９】  このことから、第２取付面１２を登攀壁３０に当接させる際には取付孔１３Ｂに取付ボルト２１を取り付け、第１取付面１１を登攀壁３０に当接させる際には取付孔１３Ａに取付ボルト２１を取り付けることで、傾斜する第１取付面１１および第２取付面１２の両方を登攀壁３０に当接する面として用いることができる。
【００４０】  以上、本発明の実施形態を示したが、本発明は、上記実施形態に限定されるものではない。
【００４１】  図１（Ａ）を参照して、ホールド１０の前面視の形状は、四角形形状以外でも良く、例えば、三角形、五角形以上の多角形、円形、楕円形状等を採用することが出来る。
【００４２】  図１（Ｃ）を参照して、固定治具としては、取付ボルト２１以外にもネジが採用されてもよい。
【００４３】  取付孔１３、１３Ａ、１３Ｂは、夫々が複数形成されても良い。
【００４４】  係合部１９は、図１（Ｂ）に示すような段差形状の他、一方側に向かって径が狭くなる傾斜面により実現されてもよい。
【符号の説明】
【００４５】１０    ホールド
１１    第１取付面
１２    第２取付面
１３、１３Ａ、１３Ｂ    取付孔
１６    当接面
１８    中継面部
１９    係合部
２１    取付ボルト
２２    ネジ部
２３    頭部
２４    取付プレート
２５    挿通孔
２６Ａ、２６Ｂ、２６Ｃ、２６Ｄ    掛かり部
２７Ａ、２７Ｂ、２７Ｃ、２７Ｄ    掛かり部
２８    仮想面
３０    登攀壁
３１    当接部
３２    板状部材
【図１】
2018000896.tif 000003
【図２】
2018000896.tif 000004
【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
クライミングまたはボルダリングに用いられる登攀壁に取り付けられ、前記クライミングまたは前記ボルダリングを行う利用者がその手または足を掛けるクライミング用ホールドであり、
前記クライミング用ホールドを前記登攀壁に取り付ける際に、前記登攀壁に接触する当接面または３以上の当接部を有する第１取付面と、
前記第１取付面と対向して傾斜すると共に、前記クライミング用ホールドを前記登攀壁に取り付ける際に、前記登攀壁に接触する当接面または３以上の当接部を有する第２取付面と、
前記第１取付面から第２取付面まで貫通して形成され、前記クライミング用ホールドを前記登攀壁に取り付ける取付治具が取り付けられる取付孔と、を具備し、
前記取付孔は、
前記第１取付面側から前記取付治具を挿入して係合することができる第１取付孔と、
前記第２取付面側から前記取付治具を挿入して係合することができると共に、第１取付孔とは前面視で異なる位置に形成された第２取付孔と、
を有することを特徴とするクライミング用ホールド。
【手続補正２】
【補正対象書類名】明細書
【補正対象項目名】０００９
【補正方法】変更
【補正の内容】
【０００９】  本発明のクライミング用ホールドは、クライミングまたはボルダリングに用いられる登攀壁に取り付けられ、前記クライミングまたは前記ボルダリングを行う利用者がその手または足を掛けるクライミング用ホールドであり、前記クライミング用ホールドを前記登攀壁に取り付ける際に、前記登攀壁に接触する当接面または３以上の当接部を有する第１取付面と、前記第１取付面と対向して傾斜すると共に、前記クライミング用ホールドを前記登攀壁に取り付ける際に、前記登攀壁に接触する当接面または３以上の当接部を有する第２取付面と、前記第１取付面から第２取付面まで貫通して形成され、前記クライミング用ホールドを前記登攀壁に取り付ける取付治具が取り付けられる取付孔と、を具備し、前記取付孔は、前記第１取付面側から前記取付治具を挿入して係合することができる第１取付孔と、前記第２取付面側から前記取付治具を挿入して係合することができると共に、第１取付孔とは前面視で異なる位置に形成された第２取付孔と、を有することを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】